(57)【要約】      （修正有）【課題】ヘッドホンの低音周波数を調整するヘッドホンの調音構造を提供する。【解決手段】ヘッドホンの調音構造は、前ハウジング２と、後ハウジング３と、前ハウジング２中に取り付けられた発声ユニット４と、前ハウジング２に外嵌された弾性耳部接触体とを備える。前ハウジング２には、弾性耳部接触体を嵌合させる少なくとも一つの切欠き２０２又は溝部が形成されて少なくとも１つのスリットが形成されている。ヘッドホンは、カナル型イヤホン又は耳かけ型ヘッドホンである。弾性耳部接触体は、弾性イヤーピース１又は弾性イヤーパッドである。【選択図】図１
0003195224.tif 000002
【実用新案登録請求の範囲】
【請求項１】
前ハウジングと、後ハウジングと、前記前ハウジング中に取り付けられた発声ユニットと、前記前ハウジングに外嵌された弾性耳部接触体と、を備えるヘッドホンの調音構造であって、
前記前ハウジングには、前記弾性耳部接触体を嵌合させる少なくとも一つの切欠き又は溝部が形成されて少なくとも１つのスリットが形成されていることを特徴とする、
ヘッドホンの調音構造。
【請求項２】
前記ヘッドホンはカナル型イヤホンであり、前記弾性耳部接触体は弾性イヤーピースであり、前記カナル型イヤホンは、イヤホンの前記前ハウジングのイヤホン通気板を含むことを特徴とする請求項１に記載のヘッドホンの調音構造。
【請求項３】
前記弾性イヤーピースは、環状型内壁嵌合部を有し、前記前ハウジングは、前記環状型内壁嵌合部を取り付ける段差部を有し、前記段差部と前記環状型内壁嵌合部とが接続される接触面には、互いに嵌合可能な凹凸構造が設けられていることを特徴とする請求項２に記載のヘッドホンの調音構造。
【請求項４】
前記ヘッドホンは耳かけ型ヘッドホンであり、前記弾性耳部接触体は弾性イヤーパッドであることを特徴とする請求項１に記載のヘッドホンの調音構造。
【考案の詳細な説明】
【技術分野】
【０００１】
本考案は、ヘッドホン構造に関し、特に、ヘッドホンの低音周波数を調整するヘッドホンの調音構造に関する。
【背景技術】
【０００２】
ヘッドホンは、特徴として２つの小型ヘッドホンを頭の両側に掛けて用いるが、リスナーが聞く音場、臨場感はそれぞれ異なるため、ヘッドホンの聴き心地が人を生理的・心理的に満足させられるように、ヘッドホンの音声を調整する必要があった。その方法としてはイヤーピース、イヤーパッドなどの小さなスポンジ状物体により耳から所定距離離れるようにし、発生ユニットをリスナーの耳に適度な位置に配置するか、電子回路により音声信号を制御しそれぞれの耳に他方のユニットの音声信号を加えることにより擬似的に聞こえる様にしたりすることが出来る。しかし、上述した音声調整方法を使用する装置は構造が複雑で効果が理想的でないという問題点が有った。
【考案の概要】
【考案が解決しようとする課題】
【０００３】
本考案の目的は、構造が簡素で、容易に製造したり改造したりすることができる上、低音の周波数を調整することができるヘッドホンの調音構造を提供することにある。
【課題を解決するための手段】
【０００４】
上記課題を解決するために、本考案の第１の案によれば、前ハウジングと、後ハウジングと、前記前ハウジング中に取り付けられた発声ユニットと、前記前ハウジングに外嵌された弾性耳部接触体と、を備えるヘッドホンの調音構造であって、前記前ハウジングには、前記弾性耳部接触体を嵌合させる少なくとも一つの切欠き又は溝部が形成されて少なくとも１つのスリットが形成されていることを特徴とするヘッドホンの調音構造が提供される。
【０００５】
前記ヘッドホンはカナル型イヤホンであり、前記弾性耳部接触体は弾性イヤーピースであり、前記カナル型イヤホンは、イヤホンの前記前ハウジングのイヤホン通気板を含むことが好ましい。
【０００６】
前記弾性イヤーピースは、環状型内壁嵌合部を有し、前記前ハウジングは、前記環状型内壁嵌合部を取り付ける段差部を有し、前記段差部と前記環状型内壁嵌合部とが接続される接触面には、互いに嵌合可能な凹凸構造が設けられていることが好ましい。
【０００７】
前記ヘッドホンは耳かけ型ヘッドホンであり、前記弾性耳部接触体は弾性イヤーパッドであることが好ましい。
【考案の効果】
【０００８】
本考案のヘッドホンの調音構造は、従来技術と比べ、低音周波数が調整可能で、構造が簡素であるため、製造したり改造したりすることが容易である上、カナル型イヤホン、耳かけ型ヘッドホンなど様々なイヤホンに応用することができる。
【図面の簡単な説明】
【０００９】
【図１】本考案の第１構造案に係るカナル型イヤホンを示す断面斜視図である。
【図２】本考案の第２構造案に係るカナル型イヤホンを示す断面斜視図である。
【図３】本考案の第３構造案に係るカナル型イヤホンを示す断面斜視図である。
【図４】本考案の第４構造案に係る耳かけ型ヘッドホンを示す断面斜視図である。
【図５】本考案の第５構造案に係る耳かけ型ヘッドホンを示す断面斜視図である。
【図６】本考案の第１構造案に係るカナル型イヤホンを示す分解斜視図である。
【図７】本考案の第４構造案に係る耳かけ型ヘッドホンを示す分解斜視図である。
【図８】図１のカナル型イヤホンの前ハウジングの斜視図である。
【図９】図２のカナル型イヤホンの前ハウジングの斜視図である。
【図１０】図３のカナル型イヤホンの分解斜視図である。
【図１１】本考案の第４構造案に係る耳かけ型ヘッドホンの通気板を示す斜視図である。
【図１２】本考案の第５構造案に係る耳かけ型ヘッドホンの通気板を示す斜視図である。
【考案を実施するための形態】
【００１０】
以下、本考案の実施構造について図に基づいて説明する。なお、これによって本考案が限定されるものではない。
【００１１】
（第１実施形態）
図１、図６及び図８を参照する。図１、図６及び図８に示すように、本考案の第１実施形態に係るヘッドホンの調音構造のヘッドホンは、カナル型イヤホンである。カナル型イヤホンは、前ハウジング２と、後ハウジング３と、前ハウジング２中に取り付けられた発声ユニット４と、前ハウジング２に取り付けられた弾性耳部接触体と、を含む。この弾性耳部接触体は弾性イヤーピースでもよい。前ハウジング２には、少なくとも一つの切欠きが形成されている。
第１実施形態の前ハウジング２には、１つの切欠き２０２が形成されている。前述の前ハウジング２上には通気板５が配設されている。弾性イヤーピース１は、前ハウジング２上に取り付けられている。弾性イヤーピース１は環状型内壁嵌合部１０１を有し、弾性イヤーピース１が嵌合されると隙間が生じ、この隙間の大きさにより低音周波数の調整範囲を決定して低音周波数の音声を制御することができる。
【００１２】
（第２実施形態）
図２及び図９を参照する。図２及び図９に示すように、本考案の第２構造案に係るヘッドホンの調音構造は、第１構造案と異なり前ハウジング２の外カバー表面上に少なくとも１つの溝部２０３が形成され、本実施形態の弾性耳部接触体は、弾性イヤーピース１でもよく、前ハウジング２の溝部２０３の外側に嵌合されている。
前ハウジング２上には、通気板５が配設されている。弾性イヤーピース１の内壁面は、前ハウジング２の外カバー表面に嵌合されている。弾性イヤーピース１の内壁面と前ハウジング２の外表面との間には、隙間構造が形成され、この隙間の大きさにより低音周波数の調整範囲を決定して低音周波数の音声を制御する。ここで隙間の数は１つ以上でもよい。
【００１３】
（第３実施形態）
図３及び図１０を参照する。図３及び図１０に示すように、本考案の第３構造案に係るヘッドホンの調音構造は、第１実施形態と異なり、前述した弾性イヤーピース１の環状型内壁嵌合部１０１は、その底部に凹凸構造１０３を有する。
前ハウジング２は、前述の凹凸構造１０３に取り付ける凹凸状の段差部２０５を有する。段差部２０５と凹凸構造１０３とが接続される接触面には、互いに嵌合する凹凸構造が設けられ、段差部２０５の凹凸部分２０４の起伏により前述した隙間の寸法を調整することができる。
【００１４】
また、第３実施形態は、第２実施形態に弾性イヤーピース１の凹凸構造１０３と前ハウジング２の段差部２０５とを互いに嵌合させる凹凸構造を有する構造にしてもよい。
【００１５】
（第４実施形態）
図４、図７及び図１１を参照する。図４、図７及び図１１に示すように、本考案の第４実施形態に係るヘッドホンの調音構造は、ヘッドホンが耳かけ型ヘッドホンである。この耳かけ型ヘッドホンは、前ハウジング２と、後ハウジング３と、前ハウジング２上に取り付けられた発声ユニット４と、前ハウジング２上に嵌合された弾性耳部接触体と、を含む。弾性耳部接触体は弾性イヤーパッド１１でもよい。前ハウジング２には、少なくとも１つの切欠きが形成されている。
第４実施形態の前ハウジング蓋２には、１つの切欠き２０２が形成されている。弾性イヤーパッド１１が嵌合されると隙間構造が形成され、隙間の大きさにより低音周波数の調整範囲を決定し、低音周波数の音声を制御することができる。ここで隙間の数は１つ以上でもよい。
【００１６】
（第５実施形態）
図５及び図１２を参照する。図５及び図１２に示すように、本考案の第５実施形態に係るヘッドホンの調音構造は、第４実施形態と異なり前ハウジング２の外カバー表面上に少なくとも１つの溝部が形成されている。
第５実施形態のヘッドホンの調音構造には、１つの溝部２０３が形成されている。弾性イヤーパッド１１の嵌合により隙間構造が形成され、１つ以上の隙間が設けられてもよい。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１      弾性イヤーピース
２      前ハウジング（前ハウジング蓋）
３      後ハウジング
４      発声ユニット
５      通気板
１０１  環状型内壁嵌合部
２０２  切欠き
２０３  溝部
２０５  段差部
【図１】
0003195224.tif 000003
【図２】
0003195224.tif 000004
【図３】
0003195224.tif 000005
【図４】
0003195224.tif 000006
【図５】
0003195224.tif 000007
【図６】
0003195224.tif 000008
【図７】
0003195224.tif 000009
【図８】
0003195224.tif 000010
【図９】
0003195224.tif 000011
【図１０】
0003195224.tif 000012
【図１１】
0003195224.tif 000013
【図１２】
0003195224.tif 000014